(57)【特許請求の範囲】
【請求項１】
機構ベースに回動自在に軸支され、デフォルト姿勢において自重により前記軸支位置を中心に一方向に倒動される重心を有するように形成された演出部材と、
支持壁面を有する、前記演出部材に一体に設けられた倒動切換部材と、
１つのモータと、
前記機構ベースに固定されたモータベースに軸支され、前記１つのモータにより回転して外周側に固着されたリンクピンを前記軸支位置を中心に回転させる起倒動用ギヤとを備え、
前記デフォルト姿勢では前記リンクピンを前記支持壁面のデフォルト位置に位置させ前記演出部材を支持してその倒動を抑止し、
この抑止状態から前記リンクピンが一定角度正転又は逆転することにより、前記演出部材の自重が作用して前記支持壁面を摺接する前記リンクピンに支持されながら前記演出部材が緩慢に倒伏姿勢まで倒動し、
前記抑止状態から前記リンクピンが一定角度逆転又は正転することにより前記支持壁面から離脱し、前記演出部材が自重により急激に倒伏姿勢まで倒動し、
前記倒伏姿勢からは前記リンクピンが一定角度逆転又は正転することにより前記演出部材がデフォルト姿勢に復帰することを特徴とする可動役物機構。
【請求項２】
前記演出部材にはガイドピンが固着され、
前記機構ベースには前記演出部材の起倒動を案内するガイド穴が穿設されて前記ガイドピンが挿通され、
このガイドピン又は前記ガイド穴の終端部には、前記演出部材が自重により急激に倒伏姿勢まで倒動する際に前記ガイドピン及び前記ガイド穴終端部間に生じる衝撃を吸収する緩衝部材を備えることを特徴とする請求項１に記載の可動役物機構。
【発明の詳細な説明】
【技術分野】
【０００１】
本発明は、パチンコ機等の遊技機の遊技盤において、特定の遊技状態になったときに演出部材（役物）を自重によって勢いよく現われるようにした可動役物機構に関するものである。
【背景技術】
【０００２】
この種の可動役物機構は、演出部材を、定常時は遊技者から見えない位置や見え難い形態で隠しておき、特定の遊技状態になったときには遊技者から見える位置に勢いよく現われるような演出を行う場合に有用であり、従来、特許文献１に記載のものがあった。
これは、定常状態では、回転板がアームの後端部を押下げ、アームの先端部を上限位置に維持することにより演出部材を所定の上昇位置に保持する。この定常状態から電動モータを回転させると、回転板の回転により回転板とアームとの係合状態が一時的に解除され、演出部材はその自重によって所定の下降位置まで落下するという役物機構である。
【先行技術文献】
【特許文献】
【０００３】
【特許文献１】特開２００７−００７０５７号公報
【発明の概要】
【発明が解決しようとする課題】
【０００４】
特許文献１に記載の従来技術では、モータの回転により回転板とアームとの係合状態が解除されることにより演出部材がその自重により落下（瞬時に変位）するが、演出部材の動き方はこの落下動作の一種類だけで単調だった。
【０００５】
本発明は、演出部材の動き方の単調さをなくすことができ、しかも駆動源は従来と同様に１つのモータですむ可動役物機構を提供することを目的とする。
【課題を解決するための手段】
【０００６】
上記目的を達成するために、請求項１に記載の発明は、機構ベースに回動自在に軸支され、デフォルト姿勢において自重により前記軸支位置を中心に一方向に倒動される重心を有するように形成された演出部材と、支持壁面を有する、前記演出部材に一体に設けられた倒動切換部材と、１つのモータと、前記機構ベースに固定されたモータベースに軸支され、前記１つのモータにより回転して外周側に固着されたリンクピンを前記軸支位置を中心に回転させる起倒動用ギヤとを備え、前記デフォルト姿勢では前記リンクピンを前記支持壁面のデフォルト位置に位置させ前記演出部材を支持してその倒動を抑止し、この抑止状態から前記リンクピンが一定角度正転又は逆転することにより、前記演出部材の自重が作用して前記支持壁面を摺接する前記リンクピンに支持されながら前記演出部材が緩慢に倒伏姿勢まで倒動し、前記抑止状態から前記リンクピンが一定角度逆転又は正転することにより前記支持壁面から離脱し、前記演出部材が自重により急激に倒伏姿勢まで倒動し、前記倒伏姿勢からは前記リンクピンが一定角度逆転又は正転することにより前記演出部材がデフォルト姿勢に復帰することを特徴とする。
請求項２に記載の発明は、請求項１に記載の発明において、前記演出部材にはガイドピンが固着され、前記機構ベースには前記演出部材の起倒動を案内するガイド穴が穿設されて前記ガイドピンが挿通され、このガイドピン又は前記ガイド穴の終端部には、前記演出部材が自重により急激に倒伏姿勢まで倒動する際に前記ガイドピン及び前記ガイド穴終端部間に生じる衝撃を吸収する緩衝部材を備えることを特徴とする。
【発明の効果】
【０００７】
請求項１に記載の発明によれば、１つのモータによって回転されるリンクピンの回転方向を変えることによって２種類の動き（緩慢な倒動と急激な倒動）を演出部材に与えることができる。したがって、演出部材の動き方の単調さをなくすことができ、しかも駆動源は従来と同様に１つのモータですむという効果を発揮できる。
請求項２に記載の発明によれば、演出部材が自重により急激に倒伏姿勢（下方向に最も倒動した姿勢）まで倒動する際にガイドピン及びガイド穴終端部間で発生する衝撃を吸収できる。したがって、遊技中に無用な衝撃音が発生したり、ガイドピン及びガイド穴終端部やそれらの周辺部分が破損すること等を防止でき、また上記衝撃による演出部材の跳ね返りを防止できる。
【図面の簡単な説明】
【０００８】
【図１】本発明の一実施形態に係る可動役物機構（デフォルト時）が適用された遊技盤の正面図である。
【図２】同じく可動役物機構（倒伏時）が適用された遊技盤の正面図である。
【図３】図１中の可動役物機構の要部（裏ベースより前側部分）を取り出し、拡大して示す正面図である。
【図４】同じく裏面図である。
【図５】図２中の可動役物機構の要部（裏ベースより前側部分）を取り出し、拡大して示す正面図である。
【図６】同じく裏面図である。
【図７】図１中のセンタ役物（デフォルト時の可動役物機構を含む）を取り出して示す裏面図である。
【図８】同じくセンタ役物（倒伏時の可動役物機構を含む）を取り出して示す裏面図である。
【図９】同じくセンタ役物の要部（倒動動作中の可動役物機構を含む）を取り出して正面側から示す斜視図である。
【図１０】同じく分解斜視図である。
【図１１】図１中のセンタ役物の要部（倒動動作中の可動役物機構を含む）を取り出して裏面側から示す斜視図である。
【図１２】同じく分解斜視図である。
【図１３】図１中のセンタ役物の要部（可動役物機構の裏ベース及びその後側部分を含む）を取り出し、拡大して示す正面図である。
【図１４】同じく裏面図である。
【図１５】本発明の一実施形態に係る可動役物機構の演出部材がデフォルト姿勢にある状態を説明するための図である。
【図１６】同じく演出部材が緩慢に倒動する際の動作を説明するための図である。
【図１７】同じく演出部材が自重により急激に倒伏姿勢まで倒動する際の動作を説明するための図である。
【図１８】同じく演出部材が倒伏姿勢にある状態を説明するための図である。
【図１９】同じく演出部材がデフォルト姿勢にある場合の演出部材、倒動切換部材及び起倒動駆動機構を取り出して示す図である。
【図２０】同じく演出部材が倒伏姿勢にある場合の演出部材、倒動切換部材及び起倒動駆動機構を取り出して示す図である。
【図２１】同じく演出部材が倒伏姿勢にある場合の起倒動駆動機構と倒動切換部材とを取り出して示す斜視図である。
【発明を実施するための形態】
【０００９】
以下、本発明の実施の形態を図面に基づき説明する。なお、各図間において、同一符号は同一又は相当部分を示す。
図１及び図２から分かるように、本実施形態に係る可動役物機構は、パチンコ機等の遊技機の遊技盤１において、演出部材２を、定常時（デフォルト時）は遊技者から見え難い形態で隠され、特定の遊技状態になったときには遊技者から見える位置にゆっくりと、又は勢いよく現われる演出を行う場合に用いられる。特定の遊技状態としては、いわゆるノーマルリーチやスーパーリーチ等が挙げられる。
【００１０】
図１９及び図２０に示すように、本実施形態に係る可動役物機構は、演出部材２と、倒動切換部材３と、起動，倒動をさせるために用いる起倒動用ギヤ４とを備える。
なお、起動は演出部材２を起こす（最終的に起立姿勢にさせる）動作を、倒動は演出部材２を倒す（最終的に倒伏姿勢にさせる）動作を指す。
上記演出部材２は、機構ベース、ここではセンタ役物裏ベース（以下、裏ベースと略記する。）５の表側に回動自在に軸支される（図７、図８、図１０〜図１２参照）。
この演出部材２は、図１、図３、図４、図７及び図１９に示すデフォルト時の姿勢において、自重により軸支位置Ｐｏ（図４、図６、図７、図８、図１０〜図１４、図１９及び図２０参照）を中心に一方向に倒動される重心を有するように形成されている。演出部材２のデフォルト時の姿勢を、デフォルト姿勢あるいは起立姿勢と記す。
本実施形態において、演出部材２は特定のフィギアの頭部を模して形成され（図１、図２、図３及び図５参照）、また図１に示すように、デフォルト姿勢において周囲の部分とは容易に見分けがつかない形態とされている。そして、自重によって前方斜め下方（矢印ア方向）に倒動されるような重心が与えられている。
なお、便宜上、演出部材２の基本部分の輪郭を太線で表す（図４、図６、図１２、図１９及び図２０参照）。
【００１１】
上記倒動切換部材３は、図４、図６、図１９及び図２０に示すように、直線状の支持壁面６を有し、演出部材２の裏面側に一体に設けられている。
上記起倒動用ギヤ４は、図１４に示すように、裏ベース５の裏側に固定されたモータベース７に軸支されてモータ８により回転し、その側面外周側に植設固着されて裏ベース５の表側に突出するリンクピン９を同起倒動用ギヤ４の軸支位置を中心に回転させるようになされている。なお、モータ８は１つ備え、同モータ８には電動モータが用いられている。
本実施形態において、モータベース７は起倒動用ギヤ４のみが臨むように裏ベース５に開けられた円形の貫通窓１０（図１３参照）を裏ベース５の裏面側から蓋するように形成されている。このモータベース７の内部には、上記起倒動用ギヤ４と、この起倒動用ギヤ４に噛合し、同起倒動用ギヤ４よりも歯数の少ない小ギヤ１１が収納されている。モータ８はモータベース７の外側に固定され、その回転軸はモータベース７を貫通して小ギヤ１１に連結し、この小ギヤ１１を介して上記起倒動用ギヤ４を回転可能である。
なお、モータベース７に固定された１つのモータ８、小ギヤ１１及び起倒動用ギヤ４を起倒動駆動機構１２と総称する（図１４、図１９〜図２１参照）。図１４では、この起倒動駆動機構１２をモータベース７上から透視して示している。
【００１２】
上記リンクピン９は、演出部材２がデフォルト姿勢にある場合に、倒動切換部材３の支持壁面６のデフォルト位置Ｐ１（図１５参照）に位置させ、演出部材２を支持してその自重による倒動を抑止するように支持壁面６との位置関係が設定されている。このように、リンクピン９が支持壁面６のデフォルト位置Ｐ１に位置し、演出部材２を支持してその自重による倒動を抑止している状態（図１５に示す状態）を、抑止状態あるいは自重倒動抑止状態と記す。
図３及び図４に、デフォルト姿勢、つまり起立姿勢にある場合の演出部材２を取り出して示し、図７に、デフォルト姿勢の演出部材２を含むセンタ役物１３を取り出して裏面側から示し、図１９に、演出部材２がデフォルト姿勢にある場合の演出部材２、倒動切換部材３及び起倒動駆動機構１２を取り出して示す。
【００１３】
上記モータベース７には、図１１及び図１２に示すように、演出部材２側に突出する遮光板部１４が形成され、演出部材２の裏面側にはフォトインタラプタ１５が固定されている。そして、演出部材２がデフォルト姿勢（図１、図３、図４、図７及び図１９参照）にある場合に、フォトインタラプタ１５が遮光板部１４を検出可能に相互位置が設定されている。したがって、フォトインタラプタ１５が遮光板部１４を検出している時の演出部材２の姿勢はデフォルト姿勢である。
演出部材２のデフォルト姿勢の検出は、上記遮光板部１４及びフォトインタラプタ１５のような光学的な手段に限らず、その他の位置検出手段であってもよい。この位置検出手段としては非接触形が好ましい。
【００１４】
更に、上記リンクピン９は、倒動切換部材３の支持壁面６（図１５〜図２１参照）との位置関係について次のように設定されている。
すなわちリンクピン９は、抑止状態（図１５に示す状態）から一定角度正転又は逆転、本実施形態では１８０°程度正転することにより、演出部材２を倒伏姿勢（下方向に最も倒動した姿勢：図２、図５、図６、図８及び図２０参照）まで倒動させるように設定されている（図１５、図１６、図１８及び図３〜図６参照）。本実施形態では、演出部材２はデフォルト姿勢から３０°程度の倒動で倒伏姿勢に達する。
この場合の倒動は、演出部材２の自重がリンクピン９に作用し、このリンクピン９が倒動切換部材３の支持壁面６を摺接し（図１５及び図１６参照）、演出部材２を支持しながら行われるので、緩慢な倒動となる。
【００１５】
図５及び図６に、倒伏姿勢にある場合の演出部材２を取り出して示し、図８に、倒伏姿勢の演出部材２を含むセンタ役物１３を取り出して裏面側から示し、図２０に、演出部材２が倒伏姿勢にある場合の演出部材２、倒動切換部材３及び起倒動駆動機構１２を取り出して示す。図２１には、上記演出部材２が倒伏姿勢にある場合の起倒動駆動機構１２と倒動切換部材３とを取り出し斜視図にて示す。
図９〜図１２は、デフォルト姿勢から倒伏姿勢への倒動途中の演出部材２を含むセンタ役物１３の要部を取り出して示している。
【００１６】
なお演出部材２は、ガイドピン１６及びガイド穴１７によって案内されて倒動される（図７、図８、図１１及び図１２参照）。
この場合、ガイドピン１６は、図４及び図６に示すように演出部材２に固着されている。また、ガイド穴１７は、図７、図８、図１１及び図１２に示すように裏ベース５に穿設され、このガイド穴１７内に上記ガイドピン１６が挿通されている。
ガイドピン１６はガイド穴１７内に挿通された状態で保持されるように先端側に止め具が取り付けられている。ガイド穴１７は、ガイドピン１６が演出部材２の起倒動時に描く軌跡に対応して裏ベース５に円弧状に穿設されていて、その長さ（回転角寸法）により演出部材２の倒伏姿勢における倒動角度が規定される。
【００１７】
リンクピン９は、抑止状態（図１５に示す状態）から一定角度逆転又は正転、本実施形態では３５°程度逆転することにより、倒動切換部材３の支持壁面６への摺接から離脱する（図１７参照）。すなわち上記抑止状態が解除され、演出部材２を自重により急激に倒伏姿勢（図２、図５、図６、図８及び図２０参照）まで倒動させるように設定されている。
【００１８】
演出部材２の倒伏姿勢自体は、演出部材２を緩慢に倒動させて倒伏姿勢に至った場合と特に変わらないが（図５、図６、図８、図２０及び図２１参照）、倒伏姿勢に至る時間の経過が大きく異なる。緩慢な倒動においてはゆっくりと、急激な倒動においては勢いよく、図２に示す遊技者から見える位置に現われる。
同じ倒伏姿勢に至る倒動であっても、この急激な倒動と上記の緩慢な倒動とは趣を大きく異にするので、単に２種類の動きをもたせたこと以上の演出効果を発揮でき、演出部材２の動き方の単調さをなくせる。しかも、駆動源は従来と同様に１つのモータ８ですむ。
【００１９】
倒伏姿勢からは、倒伏姿勢に至った回転方向に拘わらず、リンクピン９が一定角度逆転又は正転、本実施形態では１８０°程度逆転することにより演出部材２が起こされて（起動されて）デフォルト姿勢、つまり起立姿勢に復帰するように設定されている（図１８、図１６、図１５及び図６〜図３参照）。
この復帰は、図１１及び図１２に示す、モータベース７に形成された遮光板部１４を演出部材２に固定されたフォトインタラプタ１５が検出することによって検出される。遮光板部１４をフォトインタラプタ１５が検出すると、上記モータ８が停止されて起倒動用ギヤ４が停止、つまりリンクピン９が倒動切換部材３の支持壁面６のデフォルト位置Ｐ１（図１５参照）で停止し、復帰を完了する。
なお、リンクピン９はモータベース７に固定された起倒動用ギヤ４に固着され、モータベース７は裏ベース５に固定されているので、リンクピン９の回転中心位置は演出部材２の起倒動に拘わらず一定である。したがって、リンクピン９の回転によって上記のような演出部材２の起倒動が可能である。また、演出部材２は裏ベース５の軸支位置でのみ軸支され、この軸支位置を中心に回動（起倒動）可能であることは図４、図６、図１９及び図２０に示す通りである。
【００２０】
演出部材２の倒伏姿勢（図２、図５、図６、図８及び図２０参照）において、リンクピン９は倒動切換部材３の支持壁面６に対して図１８に示す位置に位置し、ガイドピン１６は、図８に示すようにガイド穴１７の終端部（演出部材２の倒伏姿勢においてガイドピン１６が接する側の端部）１７ａに位置する。
このガイド穴１７の終端部１７ａには、演出部材２が自重により急激に倒伏姿勢まで倒動する際にガイドピン１６が同終端部１７ａに衝突するために生じる衝撃を吸収する緩衝部材１８を備える（図７、図８、図１１及び図１２参照）。
緩衝部材１８としては、本実施形態では環状ゴム材が用いられている。この環状ゴム材１８は、ガイド穴終端部１７ａに突設されたボス部１９の外周に填め込まれ、ボス部１９上端に抜け止めが止着されて位置決め支持される。
【００２１】
この緩衝部材１８によれば、演出部材２が自重により急激に倒伏姿勢まで倒動する際にガイドピン１６及びガイド穴終端部１７ａ間で発生する衝撃が吸収される。したがって、遊技中に無用な衝撃音が発生したり、ガイドピン１６及びガイド穴終端部１７ａやそれらの周辺部分が破損すること等が防止され、また上記衝撃による演出部材２の跳ね返りが防止される。
なお、緩衝部材１８をガイド穴１７側ではなくガイドピン１６側に設けてもよい。この場合、緩衝部材１８は、ガイド穴１７におけるガイドピン１６の移動に支障を来たさないように、例えばガイド穴１７から抜け出たガイドピン１６の上端部に取り付けられ、演出部材２が自重により急激に倒伏姿勢まで倒動する際に、ガイド穴１７の終端部１７ａに突設されたボス部１９に衝突するように設定される。
【００２２】
次に、上述した可動役物機構の動作について説明する。
いま、演出部材２が図１、図３、図４、図７及び図１９に示すデフォルト姿勢（起立姿勢）にあるとする。このデフォルト姿勢においては、図１５に示すようにリンクピン９が倒動切換部材３の支持壁面６における位置Ｐ１に位置し、同リンクピン９が演出部材２を支持していることによって演出部材２の自重による倒動が抑止され、デフォルト姿勢が保持されている。
この演出部材２のデフォルト姿勢は、図１１及び図１２に示すフォトインタラプタ１５がモータベース７に突出形成された遮光板部１４を検出していることによって検出されている。
【００２３】
このようなデフォルト姿勢において、遊技機が特定の遊技状態、例えばノーマルリーチ状態になると、モータ８（図１９参照）が回転開始し、小ギヤ１１を介して起倒動用ギヤ４、換言すればリンクピン９が回転、本実施形態では正転（図１５において時計回りに回転）する。
すると演出部材２は、自重によってその軸支位置を中心に矢印イ方向に倒動開始する（図４及び図１９参照）。図１５〜図１８中の矢印ウは、演出部材２の倒動に伴う倒動切換部材３（支持壁面６）の倒動方向を示す。
この場合、演出部材２の自重がリンクピン９に作用し、このリンクピン９が倒動切換部材３の支持壁面６を摺接して演出部材２を支持しながら倒動するので（図１５、図１６、図１８〜図２０参照）、緩慢な倒動となる。
【００２４】
リンクピン９は、デフォルト姿勢における回転角位置から１８０°程度正転し、演出部材２を倒伏姿勢まで倒動させた位置でモータ８が停止することにより停止する。演出部材２は、デフォルト姿勢から３０°程度の倒動で倒伏姿勢に達し、停止する（図１８〜図２１、図３〜図６参照）。
このように倒伏姿勢まで緩慢に倒動させることによれば、演出部材２は、図１に示す位置から、図２に示す位置にゆっくり現われるという演出が行われる。
【００２５】
緩慢な倒動による演出部材２の倒伏姿勢は、その後、終了し、元のデフォルト姿勢への復帰を開始する。復帰は、リンクピン９が上記とは逆方向に同角度回転、つまり１８０°程度逆転（図１８において反時計回りに回転）することにより演出部材２を起こして（起動して）行き、デフォルト姿勢に戻して完了する（図１８、図１６、図１５及び図６〜図３参照）。
具体的には、演出部材２が起こされて行くと、図１１及び図１２に示すフォトインタラプタ１５も元の位置に戻って行ってモータベース７に突出形成された遮光板部１４を挟み込む位置に達し、同遮光板部１４を検出して演出部材２がデフォルト姿勢に戻ったことを検出する。そしてモータ８（図１９参照）を停止し、起倒動用ギヤ４を停止、つまりリンクピン９を停止させて復帰動作を完了する。リンクピン９は、倒動切換部材３の支持壁面６のデフォルト位置Ｐ１（図１５参照）に戻って停止する。
【００２６】
また、上記デフォルト姿勢において、遊技機が特定の遊技状態、例えばスーパーリーチ状態になると、モータ８（図１９参照）が回転開始し、小ギヤ１１を介して起倒動用ギヤ４が、したがってリンクピン９が回転、本実施形態では逆転（図１５において反時計回りに回転）する。
リンクピン９は、上記デフォルト姿勢（自重倒動抑止状態）から３５°程度逆転すると、倒動切換部材３の支持壁面６への摺接から離脱する（図１７参照）。したがって、上記抑止状態が解除され、演出部材２は自重により急激に倒伏姿勢まで倒動する（図１５、図１７〜図２１及び図３〜図６参照）。
このように倒伏姿勢まで急激に倒動させることによれば、演出部材２は、図１に示す遊技者から隠された状態から、図２に示す遊技者から見える位置に勢いよく現われるという演出が行われる。
【００２７】
急激な倒動による演出部材２の倒伏姿勢は、その後、終了し、元のデフォルト姿勢への復帰を開始する。復帰は、リンクピン９が上記と同方向（図１８において反時計回り）に３６０°−３５°程度回転することにより演出部材２を起こして行き、デフォルト姿勢（起立姿勢）に戻して完了する（図１８、図１６、図１５及び図６〜図３参照）。
図１１及び図１２に示す遮光板部１４及びフォトインタラプタ１５による復帰動作は、上記の緩慢な倒動による倒伏姿勢からの復帰動作と同様である。リンクピン９が倒動切換部材３の支持壁面６のデフォルト位置Ｐ１（図１５参照）で停止することも同様である。
【００２８】
緩慢な倒動及び急激な倒動、並びに倒伏姿勢からデフォルト姿勢への復帰（起動）のいずれの場合も、演出部材２は、同演出部材２に固着されたガイドピン１６が裏ベース５に穿設されたガイド穴１７内を移動することによって案内される（図７、図８、図１１及び図１２参照）。
ガイド穴終端部１７ａに設けられた緩衝部材１８は、演出部材２が自重により急激に倒伏姿勢まで倒動した際のガイドピン１６及びガイド穴終端部１７ａ間で発生する衝撃を吸収する。
【００２９】
以上述べたように本実施形態によれば、図１９及び図２０に示すように、モータ８によって回転されるリンクピン９の回転方向を変えることによって２種類の動き（緩慢な倒動と急激な倒動）を演出部材２に与えることができる。したがって、演出部材２の動き方の単調さをなくすことができ、しかも駆動源は従来と同様に１つのモータ８ですむという効果を発揮できる。
また、図７、図８、図１１及び図１２に示すように、倒動時に演出部材２を案内するためのガイド穴１７の終端部１７ａに、演出部材２が急激に倒伏姿勢まで倒動する際にガイドピン１６がガイド穴終端部１７ａに衝突するために生じる衝撃を吸収する緩衝部材１８を設けた。したがって、遊技中に無用な衝撃音が発生したり、ガイドピン１６及びガイド穴終端部１７ａやそれらの周辺部分が破損すること等を防止でき、また上記衝撃による演出部材２の跳ね返りを防止できる。
【符号の説明】
【００３０】
１：遊技盤、２：演出部材、３：倒動切換部材、４：起倒動用ギヤ、５：裏ベース、６：支持壁面、７：モータベース、８：モータ、９：リンクピン、１６：ガイドピン、１７：ガイド穴、１７ａ：ガイド穴終端部、１８：緩衝部材。
【図１】
0005465487.tif 000002
【図２】
0005465487.tif 000003
【図３】
0005465487.tif 000004
【図４】
0005465487.tif 000005
【図５】
0005465487.tif 000006
【図６】
0005465487.tif 000007
【図７】
0005465487.tif 000008
【図８】
0005465487.tif 000009
【図９】
0005465487.tif 000010
【図１０】
0005465487.tif 000011
【図１１】
0005465487.tif 000012
【図１２】
0005465487.tif 000013
【図１３】
0005465487.tif 000014
【図１４】
0005465487.tif 000015
【図１５】
0005465487.tif 000016
【図１６】
0005465487.tif 000017
【図１７】
0005465487.tif 000018
【図１８】
0005465487.tif 000019
【図１９】
0005465487.tif 000020
【図２０】
0005465487.tif 000021
【図２１】
0005465487.tif 000022